【手続補正書】
【提出日】令和3年3月8日(2021.3.8)
【手続補正１】
【補正対象書類名】明細書
【補正対象項目名】０１５５
【補正方法】変更
【補正の内容】
【０１５５】
さまざまな実施例について説明してきた。これら及びその他の実施例は、以下の特許請求の範囲の範囲内である。以下、例示的実施形態について述べる。
［１］
落下防止具の第１物品が少なくとも１つの支持構造体に接続されていることを判定することであって、前記落下防止具の第１物品は、落下防止具の少なくとも１つの第２物品を含む落下防止具のセットに含まれる、ことと、
前記落下防止具の第１物品が前記落下防止具の前記セットの中で前記少なくとも１つの支持構造体に接続されている唯一の落下防止具の物品であることを判定することと、
前記落下防止具の第１物品が前記少なくとも１つの支持構造体に接続されている唯一の落下防止具の物品であることの判定に基づいて、少なくとも１つの動作を実行することと、
を含む方法。
［２］
前記少なくとも１つの動作を実行することは、前記落下防止具の第１物品が前記少なくとも１つの支持構造体に接続されている前記唯一の落下防止具物品であること、を示すアラートを生成することを含む、［１］に記載の方法。
［３］
前記アラートを生成することは、前記落下防止具の第１物品によって、可聴アラート、視覚アラート、又は触覚アラートを生成することを含む、［２］に記載の方法。
［４］
前記アラートを生成することは、前記落下防止具の第１物品が前記少なくとも１つの支持構造体に接続されている唯一の落下防止具の物品であること、を示す電子メッセージを生成することを含む、［２］に記載の方法。
［５］
前記少なくとも１つの動作を実行することは、前記落下防止具の第１物品が前記少なくとも１つの支持構造体から外れることを妨げるために、前記落下防止具の第１物品のロックを作動させることを含む、［１］に記載の方法。
［６］
前記ロックを作動させることは、前記ロックを作動させるための信号を生成することと、前記信号を前記落下防止具の第１物品に送信することと、を含む、［５］に記載の方法。
［７］
前記ロックは、前記落下防止具の第１物品の三次ロック機構を含み、前記ロックを作動させることは、前記三次ロック機構を作動させることを含む、［５］に記載の方法。
［８］
前記ロックを作動させた後、前記落下防止具の少なくとも１つの第２物品が前記少なくとも１つの支持構造体に接続されていることを判定することと、
前記落下防止具の第１物品と前記落下防止具の少なくとも１つの第２物品とが前記少なくとも１つの支持構造体に接続されていることの判定に基づいて、前記ロックを解除することと、
を更に含む、［５］に記載の方法。
［９］
前記ロックを作動させた後、前記ロックの手動オーバーライドを識別することと、
前記手動オーバーライドの識別に基づいて、手動オーバーライドが実行されたことを示すアラートを生成することと、
を更に含む、［５］に記載の方法。
［１０］
前記アラートを生成することは、前記手動オーバーライドが実行されたことを示す電子メッセージを生成することを含む、［９］に記載の方法。
［９］
前記落下防止具の第１物品のユーザについて、落下が発生したことを判定することと、
前記落下が発生したことの判定に基づいて、アラートを生成することと、を更に含む、［１］に記載の方法。
［１０］
前記アラートを生成することは、前記落下防止具の第１物品によって、可聴アラート、視覚アラート、又は触覚アラートを生成することを含む、［９］に記載の方法。
［１１］
前記アラートを生成することは、前記落下が発生したことを示す電子メッセージを生成することを含む、［９］に記載の方法。
［１２］
前記落下が発生したことを判定することは、前記落下防止具の第１物品の落下センサから受信したデータに基づいて前記落下が発生したことを判定することを含む、［９］に記載の方法。
［１３］
前記落下防止具の第１物品が接続されている唯一の落下防止具物品であることを判定する前に、前記落下防止具の少なくとも１つの第２物品が前記少なくとも１つの支持構造体に接続されていることを判定することと、
前記落下防止具の少なくとも１つの第２物品が前記少なくとも１つの支持構造体から外れていることを判定することと、を更に含み、
前記落下防止具の少なくとも１つの第２物品が前記少なくとも１つの支持構造体から外れていることの判定に応じて、前記落下防止具の第１物品が、前記少なくとも１つの支持構造体に接続されている前記唯一の落下防止具物品であることを判定する、［１］に記載の方法。
［１４］
前記落下防止具の第１物品が前記少なくとも１つの支持構造体に接続されていることを判定することは、
前記落下防止具の第１物品のゲートが開いたことを判定することと、
前記少なくとも１つの支持構造体が、前記落下防止具の第１物品の取り付け領域内に配置されていることを判定することと、
前記落下防止具の第１物品の前記ゲートが閉じたことを判定することと、
を含む、［１］に記載の方法。
［１５］
前記少なくとも１つの支持構造体が前記落下防止具の第１物品の前記取り付け領域内に配置されていることを判定することは、前記取り付け領域内の鉄系材料を識別することを含む、［１４］に記載の方法。
［１６］
前記落下防止具の第１物品は、カラビナ又はスナップフックを含む、［１］に記載の方法。
［１７］
前記落下防止具の第１物品は、キャリア支持構造体に取り付けられるように構成されたキャリアスリーブを含む、［１］に記載の方法。
［１８］
落下防止具の第１物品が少なくとも１つの支持構造体に接続されているかどうか、を示すデータを格納するように構成されたメモリと、
前記メモリと通信するように構成された１つ以上のプロセッサと、
を備え、前記１つ以上のプロセッサは、
前記データに基づいて、落下防止具の少なくとも１つの第２物品を含む落下防止具のセットに含まれる前記落下防止具の第１物品が前記少なくとも１つの支持構造体に接続されていることを判定し、
前記落下防止具の第１物品が前記落下防止具のセットの中で前記少なくとも１つの支持構造体に接続されている唯一の落下防止具物品であることを判定し、
前記落下防止具の第１物品が前記少なくとも１つの支持構造体に接続されている唯一の落下防止具物品であることの判定に基づいて、少なくとも１つの動作を実行するように構成される、デバイス。
［１９］
前記１つ以上のプロセッサは、前記少なくとも１つの動作を実行するために、前記落下防止具の第１物品が前記少なくとも１つの支持構造体に接続されている前記唯一の落下防止具物品であることを示すアラートを生成するように構成されている、［１８］に記載のデバイス。
［２０］
前記デバイスは、前記落下防止具の第１物品を含み、前記１つ以上のプロセッサは、前記アラートを生成するために、前記落下防止具の第１物品によって、可聴アラート、視覚アラート、又は触覚アラートを生成するように構成されている、［１９］に記載のデバイス。
［２１］
前記１つ以上のプロセッサは、前記アラートを生成するために、前記落下防止具の第１物品が前記少なくとも１つの支持構造体に接続されている前記唯一の落下防止具物品であることを示す電子メッセージを生成するように構成されている、［１９］に記載のデバイス。
［２２］
前記１つ以上のプロセッサは、前記少なくとも１つの動作を実行するために、前記落下防止具の第１物品が前記少なくとも１つの支持構造体に接続されている前記唯一の落下防止具物品であることの判定に基づいて、前記落下防止具の第１物品が前記少なくとも１つの支持構造体から外れるのを妨げるために、前記落下防止具の第１物品のロックを作動させるように構成されている、［１８］に記載のデバイス。
［２３］
前記１つ以上のプロセッサは、前記ロックを作動させるために、前記ロックを作動させるための信号を生成して、前記信号を前記落下防止具の第１物品に送信するように構成されている、［２２］に記載のデバイス。
［２４］
前記ロックは、前記落下防止具の第１物品の三次ロック機構を含む、［２２］に記載のデバイス。
［２５］
前記１つ以上のプロセッサは、
前記ロックを作動させた後、前記落下防止具の少なくとも１つの第２物品が前記少なくとも１つの支持構造体に接続されていることを判定し、
前記落下防止具の第１物品と前記落下防止具の少なくとも１つの第２物品とが前記少なくとも１つの支持構造体に接続されていることの判定に基づいて、前記ロックを解除するように更に構成されている、［２２］に記載のデバイス。
［２６］
前記１つ以上のプロセッサは、
前記ロックを作動させた後、前記ロックの手動オーバーライドを識別し、
前記手動オーバーライドの識別に基づいて、手動オーバーライドが実行されたことを示すアラートを生成するように更に構成されている、［２２］に記載のデバイス。
［２７］
前記１つ以上のプロセッサは、前記落下防止具の第１物品が前記少なくとも１つの支持構造体に接続されていることを判定するために、
前記落下防止具の第１物品のゲートが開いたことを判定し、
前記少なくとも１つの支持構造体が前記落下防止具の第１物品の取り付け領域内に配置されていることを判定し、
前記落下防止具の第１物品の前記ゲートが閉じたことを判定するように構成されている、［１８］に記載のデバイス。
［２８］
落下防止デバイスを支持構造体に取り付けるための取り付け領域を少なくとも部分的に画定する本体と、
前記本体に接続され、かつ、開位置と閉位置との間を移動するように構成された可動ゲートであって、前記開位置は、前記落下防止デバイスを前記支持構造体に取り付けるための前記取り付け領域へのアクセスを提供し、前記閉位置は、前記取り付け領域へのアクセスを阻止する、可動ゲートと、
前記支持構造体が前記取り付け領域内に配置されているかどうか、を示すデータを生成するように構成された第１センサと、
を備える落下防止デバイス。
［２９］
前記可動ゲートの移動を示すデータを生成するように構成された第２センサを更に備える、［２８］に記載の落下防止デバイス。
［３０］
前記第２センサは、前記可動ゲートに接続され、また、前記第２センサは、移動を示す前記データを生成するために、前記可動ゲートの移動を示すデータを生成するように構成されている、［２８］に記載の落下防止デバイス。
［３１］
前記第１センサは、非接触センサを含み、前記第１センサは、前記支持構造体が前記取り付け領域内に配置されているかどうかを示す前記データを、前記支持構造体に接触せずに生成するように構成されている、［２８］に記載の落下防止デバイス。
［３２］
前記非接触センサは、磁気センサを含み、前記支持構造体が前記取り付け領域内に配置されているかどうかを示す前記データを生成するために、前記第１センサは、前記取り付け領域内の鉄系材料の存在を示すデータを生成するように構成されている、［３１］に記載の落下防止デバイス。
［３３］
前記落下防止デバイスは、カラビナ又はスナップフックを含み、前記可動ゲートは、前記閉位置において前記本体と接触して前記取り付け領域を画定する連続ループを形成するように構成されている、［２８］に記載の落下防止デバイス。
［３４］
前記落下防止デバイスは、キャリアスリーブを含み、前記本体は、キャリア支持構造体に垂直に取り付けるための取り付け領域を少なくとも部分的に画定するように構成されている、［２８］に記載の落下防止デバイス。
［３５］
前記支持構造体が前記取り付け領域内に配置されているかどうかを示すデータを生成するために、前記第１センサは、前記キャリア支持構造体が前記取り付け領域内に配置されていることを示す前記データを生成するように構成されている、［３４］に記載の落下防止デバイス。
［３６］
前記落下防止デバイスは、
ロック位置とロック解除位置とを有するロックであって、前記ロック位置は、前記可動ゲートが前記開位置に移動するのを妨げる、ロックと、
１つ以上のプロセッサと、
を更に備え、前記１つ以上のプロセッサは、
落下防止具の少なくとも１つの第２物品を含む落下防止具のセットに含まれる前記落下防止デバイスが前記支持構造体に接続されていることを判定し、
前記落下防止デバイスが前記落下防止具のセットの中で前記支持構造体に接続されている唯一の落下防止具物品であることを判定し、
前記落下防止デバイスが前記支持構造体に接続されている前記唯一の落下防止具物品であることの判定に基づいて、前記ロックが前記ロック位置にあるべく前記ロックを作動させるように構成されている、［２８］に記載の落下防止デバイス。
［３７］
前記ロックは、ロック部材を前記ロック位置の伸長位置及び前記アンロック位置の後退位置へと移動させるソレノイドを含む、［３６］に記載の落下防止デバイス。
［３８］
少なくとも１つの支持構造体に接続されるように構成された、落下防止具の第１物品と、前記少なくとも１つの支持構造体に接続されるように構成された、落下防止具の少なくとも１つの第２物品と、を含む落下防止具のセットと、
ハブと、
を備え、前記ハブは、
前記落下防止具の第１物品と、前記落下防止具の少なくとも１つの第２物品と、無線通信するように構成される通信ユニットと、
１つ以上のプロセッサと、
を含み、前記１つ以上のプロセッサは、
前記落下防止具の第１物品が前記少なくとも１つの支持構造体に接続されていることを判定し、
前記落下防止具の第１物品が前記落下防止具のセットの中で前記少なくとも１つの支持構造体に接続されている唯一の落下防止具物品であることを判定し、
前記落下防止具の第１物品が前記少なくとも１つの支持構造体に接続されている前記唯一の落下防止具物品であることの判定に基づいて、前記少なくとも１つの支持構造体から前記落下防止具の第１物品が外れるのを妨げるために、前記落下防止具の第１物品のロックを作動させるように構成されているシステム。
【手続補正２】
【補正対象書類名】特許請求の範囲
【補正対象項目名】全文
【補正方法】変更
【補正の内容】
【特許請求の範囲】
【請求項１】
落下防止具の第１物品が少なくとも１つの支持構造体に接続されていることを判定することであって、前記落下防止具の第１物品は、落下防止具の少なくとも１つの第２物品を含む落下防止具のセットに含まれる、ことと、
前記落下防止具の第１物品が前記落下防止具の前記セットの中で前記少なくとも１つの支持構造体に接続されている唯一の落下防止具の物品であることを判定することと、
前記落下防止具の第１物品が前記少なくとも１つの支持構造体に接続されている唯一の落下防止具の物品であることの判定に基づいて、少なくとも１つの動作を実行することと、
を含む方法。
【請求項２】
前記少なくとも１つの動作を実行することは、前記落下防止具の第１物品が前記少なくとも１つの支持構造体に接続されている前記唯一の落下防止具物品であること、を示すアラートを生成することを含む、請求項１に記載の方法。
【請求項３】
前記少なくとも１つの動作を実行することは、前記落下防止具の第１物品が前記少なくとも１つの支持構造体から外れることを妨げるために、前記落下防止具の第１物品のロックを作動させることを含む、請求項１に記載の方法。
【請求項４】
前記落下防止具の第１物品のユーザについて、落下が発生したことを判定することと、
前記落下が発生したことの判定に基づいて、アラートを生成することと、を更に含む、請求項１に記載の方法。
【請求項５】
前記落下防止具の第１物品が接続されている唯一の落下防止具物品であることを判定する前に、前記落下防止具の少なくとも１つの第２物品が前記少なくとも１つの支持構造体に接続されていることを判定することと、
前記落下防止具の少なくとも１つの第２物品が前記少なくとも１つの支持構造体から外れていることを判定することと、を更に含み、
前記落下防止具の少なくとも１つの第２物品が前記少なくとも１つの支持構造体から外れていることの判定に応じて、前記落下防止具の第１物品が、前記少なくとも１つの支持構造体に接続されている前記唯一の落下防止具物品であることを判定する、請求項１に記載の方法。
【請求項６】
落下防止具の第１物品が少なくとも１つの支持構造体に接続されているかどうか、を示すデータを格納するように構成されたメモリと、
前記メモリと通信するように構成された１つ以上のプロセッサと、
を備え、前記１つ以上のプロセッサは、
前記データに基づいて、落下防止具の少なくとも１つの第２物品を含む落下防止具のセットに含まれる前記落下防止具の第１物品が前記少なくとも１つの支持構造体に接続されていることを判定し、
前記落下防止具の第１物品が前記落下防止具のセットの中で前記少なくとも１つの支持構造体に接続されている唯一の落下防止具物品であることを判定し、
前記落下防止具の第１物品が前記少なくとも１つの支持構造体に接続されている唯一の落下防止具物品であることの判定に基づいて、少なくとも１つの動作を実行するように構成される、デバイス。
【請求項７】
前記１つ以上のプロセッサは、前記少なくとも１つの動作を実行するために、前記落下防止具の第１物品が前記少なくとも１つの支持構造体に接続されている前記唯一の落下防止具物品であることを示すアラートを生成するように構成されている、請求項６に記載のデバイス。
【請求項８】
落下防止デバイスを支持構造体に取り付けるための取り付け領域を少なくとも部分的に画定する本体と、
前記本体に接続され、かつ、開位置と閉位置との間を移動するように構成された可動ゲートであって、前記開位置は、前記落下防止デバイスを前記支持構造体に取り付けるための前記取り付け領域へのアクセスを提供し、前記閉位置は、前記取り付け領域へのアクセスを阻止する、可動ゲートと、
前記支持構造体が前記取り付け領域内に配置されているかどうか、を示すデータを生成するように構成された第１センサと、
を備える落下防止デバイス。
【請求項９】
前記可動ゲートの移動を示すデータを生成するように構成された第２センサを更に備える、請求項８に記載の落下防止デバイス。
【請求項１０】
前記落下防止デバイスは、
ロック位置とロック解除位置とを有するロックであって、前記ロック位置は、前記可動ゲートが前記開位置に移動するのを妨げる、ロックと、
１つ以上のプロセッサと、
を更に備え、前記１つ以上のプロセッサは、
落下防止具の少なくとも１つの第２物品を含む落下防止具のセットに含まれる前記落下防止デバイスが前記支持構造体に接続されていることを判定し、
前記落下防止デバイスが前記落下防止具のセットの中で前記支持構造体に接続されている唯一の落下防止具物品であることを判定し、
前記落下防止デバイスが前記支持構造体に接続されている前記唯一の落下防止具物品であることの判定に基づいて、前記ロックが前記ロック位置にあるべく前記ロックを作動させるように構成されている、請求項８に記載の落下防止デバイス。
【請求項１１】
少なくとも１つの支持構造体に接続されるように構成された、落下防止具の第１物品と、前記少なくとも１つの支持構造体に接続されるように構成された、落下防止具の少なくとも１つの第２物品と、を含む落下防止具のセットと、
ハブと、
を備え、前記ハブは、
前記落下防止具の第１物品と、前記落下防止具の少なくとも１つの第２物品と、無線通信するように構成される通信ユニットと、
１つ以上のプロセッサと、
を含み、前記１つ以上のプロセッサは、
前記落下防止具の第１物品が前記少なくとも１つの支持構造体に接続されていることを判定し、
前記落下防止具の第１物品が前記落下防止具のセットの中で前記少なくとも１つの支持構造体に接続されている唯一の落下防止具物品であることを判定し、
前記落下防止具の第１物品が前記少なくとも１つの支持構造体に接続されている前記唯一の落下防止具物品であることの判定に基づいて、前記少なくとも１つの支持構造体から前記落下防止具の第１物品が外れるのを妨げるために、前記落下防止具の第１物品のロックを作動させるように構成されているシステム。